(57)【特許請求の範囲】
【請求項１】
デジタル音声信号の再生タイミングずれを音声データの増減により補正するデジタル音声信号再生タイミング補正方法であって、
Ｎ個（Ｎは正の整数）の音声データを選択し、
前記デジタル音声信号が基準時間よりも進んでいるときは、前記選択されたＮ個の音声データ内の音声データを使用した補間処理により０番目からＮ−１番目の間の音声データを増やし、
前記デジタル音声信号が前記基準時間よりも遅れているときは、前記選択されたＮ個の音声データ内の音声データを使用した補間処理により前記０番目から前記Ｎ−１番目の間の音声データを減らすこと
を特徴とするデジタル音声信号再生タイミング補正方法。
【請求項２】
前記デジタル音声信号の前記音声データの増減を行った部分を含めた前後一定の範囲をハイカット・フィルタ処理すること
を特徴とする請求項１に記載のデジタル音声信号再生タイミング補正方法。
【請求項３】
デジタル音声信号の再生タイミングずれを音声データの増減により補正する手段を有するデジタル音声信号再生タイミング補正装置であって、
前記音声データの増減を行う音声信号加工部を有し、
前記音声信号加工部は、
Ｎ個（Ｎは正の整数）の音声データを選択し、
前記デジタル音声信号が基準時間よりも進んでいるときは、前記選択されたＮ個の音声データ内の音声データを使用した補間処理により０番目からＮ−１番目の間の音声データを増やし、
前記デジタル音声信号が前記基準時間よりも遅れているときは、前記選択されたＮ個の音声データ内の音声データを使用した補間処理により前記０番目から前記Ｎ−１番目の間の音声データを減らすこと
を特徴とするデジタル音声信号再生タイミング補正装置。
【発明の詳細な説明】
【０００１】
【発明の属する技術分野】
本発明は、デジタルＴＶ受像機やＤＶＤ（Digital Video Disc）再生装置等のようにデジタル音声信号再生部を有する機器に使用して好適なデジタル音声信号再生タイミング補正方法及び装置に関する。
【０００２】
【従来の技術】
図１２は従来のデジタル音声信号及びデジタル映像信号再生方法の一例（特開平１０−２００８６２号公報「オーディオ・ビデオ同期再生装置」）を説明するための図であり、図１２Ａはデジタル映像信号とデジタル音声信号が同期している状態、図１２Ｂはデジタル映像信号が進んでいる場合の処理、図１２Ｃはデジタル映像信号が遅れている場合の処理を示している。
【０００３】
この例では、図１２Ｂに示すように、例えば、デジタル映像信号が２フレーム分進んでいる場合には、２フレーム期間、デジタル映像信号を再生せずに、デジタル音声信号が追いつくまで待つことにより、デジタル映像信号とデジタル音声信号との同期を取るようにしている。また、図１２Ｃに示すように、例えば、デジタル映像信号が２フレーム分遅れている場合には、２フレーム分のデジタル映像信号を再生せずに読み飛ばすことにより、デジタル映像信号とデジタル音声信号との同期を取るようにしている。
【０００４】
すなわち、特開平１０−２００８６２号公報に記載の再生方法は、デジタル音声信号に対するデジタル映像信号の進捗具合を検出し、デジタル映像信号が進んでいる場合には、デジタル映像信号の再生を停止して本来の同期が取れるまで待つことによりデジタル映像信号とデジタル音声信号との同期を取り、逆に、デジタル映像信号が遅れている場合には、デジタル映像信号を読み飛ばすことによりデジタル映像信号とデジタル音声信号との同期を取るというものである。
【０００５】
なお、特開平１０−２００８６２号公報に記載の再生方法では、デジタル映像信号とデジタル音声信号との相対的な同期を目的としているので、デジタル音声信号の読み飛ばしは、エラーが発生したときのみとなっているが、特開２０００−７８５２７号公報「ＭＰＥＧ再生装置」の「従来の技術」の項に見られるように、デジタル映像信号とデジタル音声信号との同期を取るための通常の処理として、デジタル音声信号の再生停止や読み飛ばしを行う方法も知られている。
【０００６】
図１３は従来のデジタル音声信号及びデジタル映像信号再生方法の他の例（特開平１０−９３９２１号公報「音声信号再生装置および音声信号再生方法」）を説明するための図である。図１３Ａは通常再生状態、図１３Ｂは音声ＰＣＭ信号が遅れている場合の処理、図１３Ｃは音声ＰＣＭ信号が進んでいる場合の処理を示している。なお、Ｌ／Ｒ信号は、音声ＰＣＭ信号がレフトチャンネル（Ｌ）かライトチャンネル（Ｒ）かを示す信号である。
【０００７】
この再生方法は、音声ＰＣＭ信号が遅れている場合には、図１３Ｂに示すように、音声ＰＣＭ信号出力制御用ＰＣＭクロックの周波数を高くすることにより音声ＰＣＭ信号の再生タイミング補正を行い、逆に、デジタル音声信号が進んでいる場合には、図１３Ｃに示すように、音声ＰＣＭ信号出力制御用ＰＣＭクロックの周波数を低くすることにより音声ＰＣＭ信号の再生タイミング補正を行うというものである。
【０００８】
【発明が解決しようとする課題】
例えば、デジタル音声信号の再生タイミング補正を行う場合において、これをデジタル音声信号の再生停止や読み飛ばしという方法で行う場合には、消音処理を行わなければ、聴感上問題のあるノイズが発生してしまう。しかし、消音処理を行うと、デジタル音声信号の再生タイミング補正を行う度に無音になってしまうという問題点がある。
【０００９】
これに対して、特開平１０−９３９２１号公報に記載の方法によれば、上記の問題は無くなるが、音声ＰＣＭ信号出力制御用ＰＣＭクロックの周波数を可変する機構が必要になるという問題点がある。更に、この方法では、厳密には、Ｄ／Ａ変換器の後段に配置するアンチ・エイリアシング・フィルタ（折り返しノイズ除去フィルタ）の特性も変えなければ、音声データによっては、不快なノイズが発生してしまうという問題点もある。
【００１０】
また、デジタル映像信号とデジタル音声信号との同期を取る場合、デジタル映像信号再生部とデジタル音声信号再生部を同じ発振子から作られたクロックで動作させないと、連続再生を長時間行った場合に、発振子自体の発振周波数誤差の蓄積によって大きな同期ずれが生じてしまう。デジタル映像信号再生部とデジタル音声再生部が同じ機器内にあるならば、クロックを共有することは難しくないが、デジタル音声信号再生部とデジタル映像信号再生部が別の機器にある場合には、高周波数のクロックを双方の機器で共有することは困難である。
【００１１】
本発明は、かかる点に鑑み、簡単な構成で、かつ、デジタル映像信号再生部とデジタル音声信号再生部とで高周波数のクロックを共有する必要がなく、かつ、場合によって、デジタル音声信号の再生停止や読み飛ばしという従来の方法を行うとしても、これを最小限にし、不快なノイズの発生を最小限に抑えることができるようにしたデジタル音声信号再生タイミング補正方法及び装置を提供することを目的とする。
【００１２】
【課題を解決するための手段】
本発明中、第１の発明は、デジタル音声信号の再生タイミングずれを音声データの増減により補正するデジタル音声信号再生タイミング補正方法であって、Ｎ個（Ｎは正の整数）の音声データを選択し、前記デジタル音声信号が基準時間よりも進んでいるときは、０番目からＮ−１番目の間の音声データを増やし、前記デジタル音声信号が前記基準時間よりも遅れているときは、前記０番目から前記Ｎ−１番目の間の音声データを減らすというものである。
【００１３】
本発明中、第２の発明は、デジタル音声信号の再生タイミングずれを音声データの増減により補正する手段を有するデジタル音声信号再生タイミング補正装置であって、前記音声データの増減を行う音声信号加工部を有し、前記音声信号加工部は、Ｎ個（Ｎは正の整数）の音声データを選択し、前記デジタル音声信号が基準時間よりも進んでいるときは、０番目からＮ−１番目の間の音声データを増やし、前記デジタル音声信号が前記基準時間よりも遅れているときは、前記０番目から前記Ｎ−１番目の間の音声データを減らすというものである。
【００１４】
【発明の実施の形態】
図１は本発明のデジタル音声信号再生タイミング補正装置の一実施形態を使用してなるＭＰＥＧ（Moving Picture Experts Group）再生装置の一部分を示すブロック回路図である。図１中、１はＭＰＥＧ２−ＴＳ（トランスポート・ストリーム）をデジタル画像信号とデジタル音声信号と出力時間情報（Ｎt）に分離する分離器、２は分離器１から出力されるデジタル音声信号の再生タイミング補正を行う本発明のデジタル音声信号再生タイミング補正装置の一実施形態、３は本発明のデジタル音声信号再生タイミング補正装置の一実施形態２から出力されるデジタル音声信号をアナログ音声信号に変換するＤ／Ａ変換器である。
【００１５】
本発明のデジタル音声信号再生タイミング補正装置の一実施形態２において、４は分離器１から出力されるデジタル音声信号の加工を行うデジタル音声信号加工部、５は基準時間情報を初期値として動作して基準時間（Ｓt）を出力するタイマー、６は基準時間（Ｓt）と出力時間情報（Ｎt）とを比較して、基準時間（Ｓt）と出力時間情報（Ｎt）との差｛（Ｓt）−（Ｎt）｝をデジタル音声信号の再生タイミングずれ情報（Ｏt）として検出する比較部、７はデジタル音声信号の再生タイミングずれ情報（Ｏt）と再生タイミング補正パラメータに基づいてデジタル音声信号加工部４の動作を制御する制御部である。
【００１６】
図２はデジタル音声信号加工部４で行われる第１のデジタル音声信号加工処理（本発明のデジタル音声信号再生タイミング補正方法の第１実施形態）を示す図であり、図２Ａはデジタル音声信号が基準時間（Ｓt）よりも進んでいる場合、図２Ｂはデジタル音声信号が基準時間（Ｓt）よりも遅れている場合である。なお、デジタル音声信号において、０、１、２、Ｎ−（ｎ＋１）、Ｎ−ｎ、Ｎ−３、Ｎ−２、Ｎ−１は音声データの番号を示している。
【００１７】
第１のデジタル音声信号加工処理は、音声データをＮ個単位で処理するものであり、デジタル音声信号が基準信号（Ｓt）よりも進んでいる場合には、図２Ａに示すように、Ｎ−１番目の音声データの後にＮ−１番目と同じ音声データをｎ個追加し、逆に、デジタル音声信号が基準時間（Ｓt）より遅れている場合には、図２Ｂに示すように、Ｎ−ｎ番目の音声データからＮ−１番目の音声データまでのｎ個の音声データを削除するというものである。
【００１８】
このように、第１のデジタル音声信号加工処理は、Ｄ／Ａ変換器３に出力する音声データの数を変化させることによってデジタル音声信号の再生タイミングずれを補正するとしているが、第１のデジタル音声信号加工処理によるデジタル音声信号の変化を波形（離散値）で示すと、図３のようになる。図３Ａはデジタル音声信号が基準時間（Ｓt）よりも進んでいる場合、図３Ｂはデジタル音声信号が基準時間（Ｓt）よりも遅れている場合である。
【００１９】
第１のデジタル音声信号加工処理を行った場合において、増減する音声データの数ｎの値が小さければ、デジタル音声信号に不連続な部分が発生せず、ノイズ発生原因とはならないが、増減する音声データの数ｎの値が大きいと、デジタル音声信号に不連続な部分が発生し、これがノイズの発生原因となってしまい、これを解消するようにしたのが、第２のデジタル音声信号加工処理である。
【００２０】
図４はデジタル音声信号加工部４で行われる第２のデジタル音声信号加工処理（本発明のデジタル音声信号再生タイミング補正方法の第２実施形態）を示す図であり、図４Ａはデジタル音声信号が基準時間（Ｓt）よりも進んでいる場合、図４Ｂはデジタル音声信号が基準時間（Ｓt）よりも遅れている場合である。
【００２１】
第２のデジタル音声信号加工処理は、第１のデジタル音声信号加工処理による加工を行った場合において、増減する音声データの数ｎの値が大きい場合に、前記音声データの増減を行った部分Ｐを含めた前後一定の範囲（音声データを増減した部分Ｐの前方の一定の範囲Ｗ／２から後方の一定の範囲Ｗ／２まで）のデジタル音声信号に対してハイカット・フィルタ処理を行い、不連続な点を解消してノイズが発生しないようにするというものである。
【００２２】
図５はデジタル音声信号加工部４で行われる第３のデジタル音声信号加工処理（本発明のデジタル音声信号再生タイミング補正方法の第３実施形態）を示す図であり、図５Ａは加工前のデジタル音声信号（加工処理単位の音声データ数Ｎを仮に２０としている）、図５Ｂはデジタル音声信号が基準時間（Ｓt）よりも進んでいる場合の加工例（音声データ数を１個増やすことで対応している場合を示している）、図５Ｃはデジタル音声信号が基準時間（Ｓt）よりも遅れている場合の加工例（音声データ数を１個減らすことで対応している場合を示している）である。なお、図５Ｂ及び図５Ｃにおいて、破線で示す音声データは元データ、実線で示す音声データは新データである。
【００２３】
すなわち、第３のデジタル音声信号加工処理は、第１のデジタル音声信号加工処理と同様に音声データをＮ個単位で処理するものであり、デジタル音声信号が基準時間（Ｓt）よりも進んでいる場合には、前後数点の元データを使用して、０番目の音声データとＮ−１番目の音声データとの間の音声データを増やすように音声データを補間し、デジタル音声信号が基準時間（Ｓt）よりも遅れている場合には、前後数点の元データを使用して、０番目の音声データとＮ−１番目の音声データとの間の音声データを減らすように音声データを補間するというものである。
【００２４】
第３のデジタル音声信号加工処理は、第１のデジタル音声信号加工処理が単純に音声データの増減を行うのとは異なり、Ｎ個の音声データ全体を使用し、より歪の少ない音声データ数増減処理をサンプリング・レート変換と同様の手法で実現するというものである。第３のデジタル音声信号加工処理では、例えば、補間に使用する元データとして前後４個の音声データを使用し、データ自体を４−１次の多項式で近似し、それによって補間処理を実現する。
【００２５】
なお、従来の手法には、元データのサンプリング周波数と変換後のサンプリング周波数の最小公倍数の周波数でオーバー・サンプリングを行い、変換後のサンプリング周波数のデータだけを残す手法や、元データを高速フーリエ変換等の処理によって周波数軸上のデータに変換し、変換後のデータ数以外の部分のデータを０にした後、更に、時間軸上のデータに変換する手法等があるが、これらの手法は、第３のデジタル音声信号加工処理の場合と異なり、元データの数と変換後のデータの数に大きな差が無い場合には、実現することが難しい。
【００２６】
元データの数と変換後のデータの数に大きな差が無い場合に適応しやすい手法として、前後２つの元データから直線補間によって変換後のデータを生成し、その後、折り返しノイズを除去するためにＬＰＦ演算を行う手法がある（特公昭６４−２２４３号公報）。しかし、特公昭６４−２２４３号公報に記載の手法でも、Ｎ個のデータ全体に急峻な特性のＬＰＦ処理を行うには多くの処理が必要になるという問題点がある。これに対して、第３のデジタル音声信号加工処理のように、補間に使用する元データとして前後４個の音声データを使用して、データ自体を４−１次の多項式で近似し、それによって補間処理を実現する場合には少ない処理で行うことができる。
【００２７】
デジタル音声信号加工部４は、制御部７による制御によって第１のデジタル音声信号加工処理、又は、第１及び第２のデジタル音声信号加工処理、又は、第３のデジタル音声信号加工処理を行うほか、場合によっては、消音処理を行う従来の再生タイミング補正（再生停止、読み飛ばし）を行い、また、制御部７から補正停止を指示されたときは、入力するデジタル音声信号をそのまま出力する。
【００２８】
図６は制御部７の動作例を示す図である。図６中、（Ｅt）は従来処理判断用パラメータ、（Ｂt）は補正処理開始判断用パラメータ、（Ｐt）は補正処理停止判断用パラメータである。制御部７は、デジタル音声信号の再生タイミングずれ（Ｏt）の絶対値が補正処理停止判断用パラメータ（Ｐt）以下の場合には再生タイミング補正を停止するようにデジタル音声信号加工部４を制御する。
【００２９】
また、制御部７は、デジタル音声信号の再生タイミングずれ（Ｏt）の絶対値が補正処理停止判断用パラメータ（Ｐt）以下の状態から増加して補正処理開始判断用パラメータ（Ｂt）以上になると、第１のデジタル音声信号加工処理、又は、第１及び第２のデジタル音声信号加工処理、又は、第３のデジタル音声信号加工処理で再生タイミング補正を行うようにデジタル音声信号加工部４を制御する。
【００３０】
また、制御部７は、デジタル音声信号の再生タイミングずれ（Ｏt）の絶対値が従来処理判断用パラメータ（Ｅt）以上になった場合には、デジタル音声信号の再生タイミングずれ（Ｏt）が大きすぎるとして、消音処理を行う従来の方法（再生停止、読み飛ばし）で再生タイミング補正を行うようにデジタル音声信号加工部４を制御する。
【００３１】
また、制御部７は、デジタル音声信号の再生タイミングずれ（Ｏt）の絶対値が従来処理判断用パラメータ（Ｅt）よりも大きい状態から減少して従来処理判断用パラメータ（Ｅt）以下になると、デジタル音声信号の再生タイミングずれ（Ｏt）の絶対値が補正処理停止判断用パラメータ（Ｐt）以下になるまで、第１のデジタル音声信号加工処理、又は、第１及び第２のデジタル音声信号加工処理、又は、第３のデジタル音声信号加工処理で再生タイミング補正を行うようにデジタル音声信号加工部４を制御する。
【００３２】
図７はデジタル音声信号の再生タイミングずれ（Ｏt）の絶対値と増減させる音声データ数ｎとの関係を示す図であり、図７中、（Ｂn）は最大増減データ数、（Ｓn）は最小増減データ数である。
【００３３】
図８は本発明のデジタル音声信号再生タイミング補正装置の一実施形態２で行われるメイン処理工程を示すフローチャートである。本発明のデジタル音声信号再生タイミング補正装置の一実施形態２は、処理の開始が指示されると、まず、再生タイミング補正パラメータ更新処理を行う（ステップＳ８−１）。
【００３４】
次に、ＭＰＥＧ２−ＴＳの分離動作を開始し、分離器１から出力されるデジタル音声信号をデジタル音声信号加工部４内の処理バッファに格納すると共に、分離器１から出力される出力時間情報（Ｎt）を比較部６に転送する（ステップＳ８−２）。
【００３５】
次に、タイマー５から出力される基準時間（Ｓt）と出力時間情報（Ｎt）を比較し、基準時間（Ｓt）と出力時間情報（Ｎt）との差｛（Ｓt）−（Ｎt）｝、すなわち、デジタル音声信号の再生タイミングずれ（Ｏt）を求め（ステップＳ８−３）、デジタル音声信号の再生タイミング補正工程に移行する（ステップＳ８−４）。
【００３６】
図９は本発明のデジタル音声信号再生タイミング補正装置の一実施形態２で行われる再生タイミング補正パラメータ更新処理工程を示すフローチャートであり、再生タイミング補正パラメータ更新処理工程では、処理対象音声データ数パラメータ（処理対象音声データ数Ｎ）の取得、ハイカット・フィルタ処理対象音声データ幅パラメータ（ハイカット・フィルタ処理対象音声データ幅Ｗ）の取得、従来処理判断用パラメータ（従来処理判断用ずれ時間（Ｅt））の取得、補正処理開始判断用パラメータ（補正処理開始判断用ずれ時間（Ｂt））の取得、補正処理停止判断用パラメータ（補正処理停止判断用ずれ時間（Ｐt））の取得、最大増減データ数（Ｂn）の取得、最小増減データ数（Ｓn）の取得、補正方法選択判断用増減データ数（Ｅn）の取得を順に行う（ステップＳ９−１〜Ｓ９−８）。
【００３７】
次に、最大増減データ数（Ｂn）と最小増減データ数（Ｓn）とを比較し（ステップＳ９−９）、（Ｂn）＞＝（Ｓn）であるならばメイン処理工程に戻り、（Ｂn）＜（Ｓn）であるならば、「（Ｂn）→（Ｓn）」とし（ステップＳ９−１０）、メイン処理工程に戻る。
【００３８】
図１０は本発明の音声タイミング補正装置の一実施形態２で行われる再生タイミング補正処理工程を示すフローチャートである。再生タイミング補正処理工程では、まず、デジタル音声信号の再生タイミングずれ（Ｏt）の絶対値＞補正処理停止判断用パラメータ（Ｐt）であるか否かを判断し（ステップＳ１０−１）、デジタル音声信号の再生タイミングずれ（Ｏt）の絶対値＞補正処理停止判断用パラメータ（Ｐt）でないならば、メイン処理工程に戻る。
【００３９】
これに対して、デジタル音声信号の再生タイミングずれ（Ｏt）の絶対値＞補正処理停止判断用パラメータ（Ｐt）であるならば、デジタル音声信号の再生タイミングずれ（Ｏt）の絶対値＞補正処理開始判断用パラメータ（Ｂt）であるか否かを判断し（ステップＳ１０−２）、デジタル音声信号の再生タイミングずれ（Ｏt）の絶対値＞補正処理開始判断用パラメータ（Ｂt）でないならば、メイン処理工程に戻る。
【００４０】
これに対して、デジタル音声信号の再生タイミングずれ（Ｏt）の絶対値＞補正処理開始判断用パラメータ（Ｂt）であるならば、デジタル音声信号の再生タイミングずれ（Ｏt）の絶対値＜従来処理判断用パラメータ（Ｅt）であるか否かを判断し（ステップＳ１０−３）、デジタル音声信号の再生タイミングずれ（Ｏt）の絶対値＜従来処理判断用パラメータ（Ｅt）でないならば、消音処理を行う従来の方法（再生停止、読み飛ばし）で再生タイミング補正を行う（ステップＳ１０−４）。
【００４１】
これに対して、デジタル音声信号の再生タイミングずれ（Ｏｔ）の絶対値＜従来処理判断用パラメータ（Ｅｔ）であるならば、増減する音声データ数ｎの計算を行う。すなわち、ｎ＝［｛（Ｂｎ）−（Ｓｎ）｝×｛（Ｏｔ）の絶対値−（Ｐｔ）｝］／｛（Ｅｔ）−（Ｐｔ）｝とし（ステップＳ１０−５）、デジタル音声信号加工処理を行う（ステップＳ１０−６）。
【００４２】
図１１は本発明の音声タイミング補正装置の一実施形態２で行われるデジタル音声信号加工処理工程を示すフローチャートである。デジタル音声信号加工処理工程では、まず、余剰処理能力を判断し（ステップＳ１１−１）、余剰処理能力が大きい場合には、第３のデジタル音声信号加工処理による再生タイミング補正を行い（ステップＳ１１−２）、メイン処理工程に戻る。
【００４３】
これに対して、余剰処理能力が小さい場合には、デジタル音声信号の再生タイミングずれ（Ｏt）＜０であるか否かを判断し（ステップＳ１１−３）、デジタル音声信号の再生タイミングずれ（Ｏt）＜０であるならば、デジタル音声信号は進んでいるので、処理バッファに格納されているＮ個の音声データに対する第１のデジタル音声信号加工処理による音声データの追加処理を行い（ステップＳ１１−４）、デジタル音声信号の再生タイミングずれ（Ｏt）＜０でないならば、デジタル音声信号は遅れているので、処理バッファに格納されているＮ個の音声データに対する第１のデジタル音声信号加工処理による音声データの削減処理を行う（ステップＳ１１−５）。
【００４４】
そして、増減する音声データ数ｎ＞補正方法選択判断用増減データ数（Ｅn）であるか否かを判断し（ステップＳ１１−６）、増減する音声データ数ｎ＞補正方法選択判断用増減データ数（Ｅn）でないならば、不連続点を無視できるので、メイン処理工程に戻り、増減する音声データ数ｎ＞補正方法選択判断用増減データ数（Ｅn）であるならば、不連続点を無視できないので、第２のデジタル音声信号加工処理を行い（ステップＳ１１−７）、メイン処理工程に戻る。
【００４５】
以上のように、本発明のデジタル音声信号再生タイミング補正装置の一実施形態２によれば、デジタル音声信号加工部４において、第１のデジタル音声信号加工処理、又は、第１及び第２のデジタル音声信号加工処理、又は、第３のデジタル音声信号加工処理を行うことができるようにしているので、簡単な構成で、かつ、デジタル映像信号再生部とデジタル音声信号再生部とで高周波数のクロックを共有する必要がなく、かつ、場合によって、デジタル音声信号の再生停止や読み飛ばしという従来の方法による再生タイミング補正を行うとしても、これを最小限にし、不快なノイズの発生を最小限に抑え、デジタル音声信号の再生タイミング補正を行うことができる。
【００４６】
【発明の効果】
以上のように、本発明のデジタル音声信号再生タイミング補正方法によれば、デジタル音声信号の再生タイミングずれを音声データの増減により補正するとしているので、簡単な構成で、かつ、デジタル映像信号再生部とデジタル音声信号再生部とで高周波数のクロックを共有する必要がなく、かつ、場合によって、デジタル音声信号の再生停止や読み飛ばしという従来の方法を行うとしても、これを最小限にし、不快なノイズの発生を最小限に抑え、デジタル音声信号の再生タイミング補正を行うことができる。
【００４７】
本発明のデジタル音声信号再生タイミング補正装置によれば、デジタル音声信号の再生タイミングずれを音声データの増減により補正することができるので、簡単な構成で、かつ、デジタル映像信号再生部とデジタル音声信号再生部とで高周波数のクロックを共有する必要がなく、かつ、場合によって、デジタル音声信号の再生停止や読み飛ばしという従来の方法を行うとしても、これを最小限にし、不快なノイズの発生を最小限に抑え、デジタル音声信号の再生タイミング補正を行うことができる。
【図面の簡単な説明】
【図１】本発明のデジタル音声信号再生タイミング補正装置の一実施形態を使用してなるＭＰＥＧ再生装置の一部分を示すブロック回路図である。
【図２】本発明のデジタル音声信号再生タイミング補正装置の一実施形態が備えるデジタル音声信号加工部で行われる第１のデジタル音声信号加工処理（本発明のデジタル音声信号再生タイミング補正方法の第１実施形態）を示す図である。
【図３】本発明のデジタル音声信号再生タイミング補正装置の一実施形態が備えるデジタル音声信号加工部で行われる第１のデジタル音声信号加工処理によるデジタル音声信号の変化を波形で示す図である。
【図４】本発明のデジタル音声信号再生タイミング補正装置の一実施形態が備えるデジタル音声信号加工部で行われる第２のデジタル音声信号加工処理（本発明のデジタル音声信号再生タイミング補正方法の第２実施形態）を示す図である。
【図５】本発明のデジタル音声信号再生タイミング補正装置の一実施形態が備えるデジタル音声信号加工部で行われる第３のデジタル音声信号加工処理（本発明のデジタル音声信号再生タイミング補正方法の第３実施形態）を示す図である。
【図６】本発明のデジタル音声信号再生タイミング補正装置の一実施形態が備える制御部の動作例を示す図である。
【図７】本発明のデジタル音声信号再生タイミング補正装置の一実施形態におけるデジタル音声信号の再生タイミングずれの絶対値と増減させる音声データ数との関係を示す図である。
【図８】本発明のデジタル音声信号再生タイミング補正装置の一実施形態で行われるメイン処理工程を示すフローチャートである。
【図９】本発明のデジタル音声信号再生タイミング補正装置の一実施形態で行われる再生タイミング補正パラメータ更新処理工程を示すフローチャートである。
【図１０】本発明のデジタル音声信号再生タイミング補正装置の一実施形態で行われる再生タイミング補正処理工程を示すフローチャートである。
【図１１】本発明のデジタル音声信号再生タイミング補正装置の一実施形態で行われるデジタル音声信号加工処理工程を示すフローチャートである。
【図１２】従来のデジタル音声信号及びデジタル映像信号再生方法の一例を説明するための図である。
【図１３】従来のデジタル音声信号及びデジタル映像信号再生方法の他の例を説明するための図である。
【符号の説明】
１…分離器
２…本発明のデジタル音声信号再生タイミング補正装置の一実施形態
３…Ｄ／Ａ変換器
４…デジタル音声信号加工部
５…タイマー
６…比較部
７…制御部
【図１】
0004296734.tif 000002
【図２】
0004296734.tif 000003
【図３】
0004296734.tif 000004
【図４】
0004296734.tif 000005
【図５】
0004296734.tif 000006
【図６】
0004296734.tif 000007
【図７】
0004296734.tif 000008
【図８】
0004296734.tif 000009
【図９】
0004296734.tif 000010
【図１０】
0004296734.tif 000011
【図１１】
0004296734.tif 000012
【図１２】
0004296734.tif 000013
【図１３】
0004296734.tif 000014